(57)【要約】【課題】  簡単な構成で安価に碍子表面の塩分を掃き落として除去できるようにする。【解決手段】  環状の回転体１５を碍子１の表面に同心状に且つ回転可能に取り付け、該回転体１５に、径外方向に設けられた風受け羽２５，…と、ブラシ３３が碍子１の表面に当接するブラシ部３０とを備える。【選択図】図１
2007012389.tif 000002
【特許請求の範囲】
【請求項１】
碍子（１）に対して同心状且つ回転可能に取り付けられる環状の回転体（１５）を備え、該回転体（１５）には、風受け羽（２５，…）が径外方向に設けられると共に、碍子（１）の表面に当接するブラシ（３３）を有するブラシ部（３０）が設けられてなることを特徴とする碍子表面の清掃器。
【請求項２】
碍子（１）に対して略同心状に取り付けられる環状のガイド体（１０）を備え、該ガイド体（１０）には、ガイド部（１２）が形成され、該ガイド部（１２）に沿って回転体（１５）が回転することを特徴とする請求項１に記載の碍子表面の清掃器。
【請求項３】
回転体（１５）の内面に転動部（１９，…）を設け、該転動部（１９，…）がガイド体（１０）に沿って転動することを特徴とする請求項２に記載の碍子表面の清掃器。
【請求項４】
上記ブラシ部（３０）は、回転体（１５）の軸線と平行するように回転体（１５）に支持された回転軸（３２）を有しており、該回転軸（３２）に上記ブラシ（３３）が径外方向に植設されてなることを特徴とする請求項１乃至３のいずれか１項に記載の碍子表面の清掃器。
【発明の詳細な説明】
【技術分野】
【０００１】
本発明は、塩害による送電線や変電所などにおける地落・短絡事故を防止するために用いられる碍子表面の清掃器に関する。
【背景技術】
【０００２】
台風や強風の際、送電線や変電所などにおいては塩害による地落・短絡事故の発生が懸念されている。この地落・短絡事故は、台風などの強風で海上から陸上に運ばれてきた塩水滴が、送電線や変電所などにおける電気絶縁用の碍子の表面に付着し、碍子の表面を漏れ電流が流れて、絶縁不良が生じて起こるものである。この要因としては、碍子に付着した塩水滴は強い雨によって大半は流されるが、流されずに付着した状態の海塩粒子に弱い雨などの水分が入ったりする場合、或いは、付着した状態の海塩粒子が長期間に亘って堆積する場合が主にあげられる。対策としては、人が碍子の表面に水をかけてきれいに拭き取ったりしている。以下、付着した海塩粒子に水分が入ったものを「塩分」という。
【０００３】
そして、上述したような塩害による地落・短絡事故を自動的に防止する手段として、例えば碍子の表面に付着した塩分を検知し、該検知信号に合わせてポンプを作動させ、貯水タンクの水をノズルから噴射して碍子の表面に付着した海塩粒子や塩分を除去するようにしたものが公知になっている（特許文献１参照）。
【特許文献１】特開平０７−１４０１９４号公報
【発明の開示】
【発明が解決しようとする課題】
【０００４】
しかしながら、前記公報の碍子表面の清掃器の場合、装置が大掛かりでコスト高になると共に、ノズルの噴射角度によっては、碍子の表面を十分に洗浄できなくて付着した海塩粒子や塩分を除去できず地落・短絡事故を引き起こしやすいような状態、即ち碍子表面に漏れ電流が流れやすい状態になっている場合もあるという問題がある。
【０００５】
そこで、本発明は、上記問題点を鑑み、簡単な構成で安価に碍子表面に付着した海塩粒子や塩分を除去できる碍子表面の清掃器を提供することを目的とする。
【課題を解決するための手段】
【０００６】
前記課題を解決するために、本発明に係る碍子表面の清掃器は、碍子１に対して同心状且つ回転可能に取り付けられる環状の回転体１５を備え、該回転体１５には、風受け羽２５，…が径外方向に設けられると共に、碍子１の表面に当接するブラシ３３を有するブラシ部３０が設けられてなるものである。
【０００７】
したがって、風が吹くと、回転体１５が回転し、碍子１の表面に当接するブラシ３３が碍子１の周りを公転するので、海上からの塩水滴が碍子１の表面に付着しても掃き落とすことができる。このため、碍子１の表面には、海塩粒子や塩分が堆積されることがなく地落・短絡事故を防止できる。しかも、ブラシ部３０は、風受け羽２５，…によって回転体１５の回転に従動するので、簡単な構成で駆動できる。この際、ブラシ３３に付着した海塩粒子や塩分は回転体１５の回転力による遠心力で外部に飛散される。また、既設の碍子１に装着した場合には、海上から飛散してくる海水滴の排除と、碍子１の表面に付着している海塩粒子や塩分の除去との二つの機能を有することになる。
【０００８】
また、碍子１に対して略同心状に取り付けられる環状のガイド体１０を備え、該ガイド体１０にガイド部１２を形成し、該ガイド部１２に沿って回転体１５を回転させるようにしたことを特徴とする。
【０００９】
この場合、回転体１５のガイド部１２が碍子１の外側に略同心状に位置するので、碍子１の表面の凹凸や曲面に関係なく、回転体１５が碍子１と略同心状に位置した状態で回転するようになり、ブラシ３０の先端部も碍子１の表面に対して常時略直角に当接するようになる。
【００１０】
さらに、回転体１５の内面に転動部１９，…を設け、該転動部１９，…がガイド体１０に沿って転動するようにしたことを特徴とする。
【００１１】
転動部１９，…としては、回転体１５を円滑に回転させるべく、例えばローラ、環状の滑り面を設けるのがよい。
【００１２】
加えて、上記ブラシ部３０は、回転体１５の軸線と平行するように回転体１５に支持された回転軸３２を有しており、該回転軸３２に上記ブラシ３３を径外方向に植設するようにした。
【００１３】
よって、ブラシ部３０のブラシ３３は、回転体１５の回転動作によって自転回転しながら碍子１を中心として公転するようになるので、効率よく碍子１の表面を清掃できる。しかも、ブラシ３３に付着した塩分が、回転体１５の回転力とブラシ３３自体の回転によって効率よく飛散させることができる。
【発明の効果】
【００１４】
以上のように、本発明の碍子表面の清掃器によれば、風によって運ばれてきた塩水滴が、碍子の表面に付着したとしてもブラシで掃き落とすことができる。よって、海塩粒子や塩分の堆積を効果的に防止できると共に、地落・短絡事故を防止できる。また、回転体の回転には風力を利用しているので自然エネルギーを有効活用できる効果がある。さらに、ブラシを回転させた場合は、回転体の回転力とブラシの回転力との相乗効果によって連続した掃き落とし動作が行われるようになり、効率のよい清掃が実現される。
【発明を実施するための最良の形態】
【００１５】
以下、本発明の一実施形態に係る碍子表面の清掃器について、添付図面を参照しつつ説明する。
【００１６】
本実施形態の碍子表面の清掃器は、図１及び図２に示すように、碍子１の表面に装着された環状のガイド体１０と、該ガイド体１０に着脱可能に設けられた回転体１５と、該回転体１５に設けられたブラシ部３０とから構成されている。
【００１７】
碍子１は、磁器製の絶縁被覆部２と、該絶縁被覆部２の先端部に固着された鋳物からなる連結部３とを備えている。そして、絶縁被覆部２には、絶縁距離を確保するための複数のひだ（同心状の曲面壁部）が内部に設けられ（図示せず）、金属製のピン４の基端部が絶縁被覆部２の中心に軸線に沿って内挿されて固着されると共に、ピン４の先端部が外部に露呈している。さらに、連結部３及びピン４の先端部には、次段の碍子１をボルト、ナットで連結するための接続穴５が形成されている。
【００１８】
ガイド体１０は、耐塩性を有するゴム製のもので、内径が碍子１の外径と略同一の円環状を呈しており、一部が切り離せるように径方向に切れ目１１が形成されている。この切れ目１１を形成した理由は、既設の碍子１に装着するためである。さらに、ガイド体１０の外周面には、ガイド部としてのガイド溝１２が該外周面に沿って形成され、該ガイド溝１２に後述する回転体１５のローラ１９，…が転動して回転体１５が回転することになる。
【００１９】
そして、ガイド体１０の内周面が碍子１の表面に密着することで固定される。つまり、ガイド体１０が碍子１の表面に装着されると、ガイド体１０の弾性力によって、ガイド体１０の内面が碍子１の表面の凹凸や曲面に馴染むように柔軟に密着することになる。この際、ガイド体１０の内面が多少変形することになってもガイド溝１２の底壁及び側壁部は変形することがなく、碍子１の外側に、該碍子１と略同心状に位置することになるので、後述する回転体１５がガイド体１０によって円滑に回転するようになる。即ち、回転体１５のローラ１９，…がガイド溝１２に沿って転動する。
【００２０】
回転体１５は、円弧状の分割体１５ａ，１５ａからなり、該両分割体１５ａ，１５ａは、一方の分割体１５ａの一端部に形成された嵌合凸部１６が、他方の分割体１５ａの一端部に形成された嵌合凹部１７に嵌め合わされて回動可能に支持されている。一方、両分割体１５ａ，１５ａの他端部にそれぞれ矩形状の接合片１８，１８が突設されている。
【００２１】
回転体１５の内面には、転動部としての回転可能な複数のローラ１９，…が、その周面が僅かに外部に臨出するように等間隔に設けられ、この臨出部がガイド体１０のガイド溝１２に当接し、ローラ１９，…がガイド溝１２に沿って転動することで、回転体１５が円滑に回転することになる。
【００２２】
風受け羽２５，…は、スプーン状を呈しており、回転体１５の分割体１５ａ，１５ａの周面に径外方向に立設された複数の支柱２６，…と、該支柱２６，…の先端部に設けられたお椀状の受け部２７，…とを有している。
【００２３】
ブラシ部３０は、回転体１５の周面に、碍子１の軸線方向に平行するように、且つ、１８０度離れた位置に配された二本の支軸３１と、該両支軸３１にそれぞれ挿通された管体からなる回転軸３２と、該回転軸３２の周面に径外方向に植設されたブラシ３３とを備え、ブラシ３３の先端部が碍子１の表面に対して略直角になるように当接している。なお、支軸３１の先端部には回転軸３２の抜け止めが成されている。
【００２４】
つぎに本実施形態の碍子表面の清掃器の使用態様について説明する。例えば、図３に示すように、複数の碍子１，…が電柱Ｐの腕金具Ｇに取り付けられている場合において、各碍子１の表面にガイド体１０を装着し、回転体１５の二つの分割体１５ａ，１５ａの接合片１８，１８を当接して、ガイド体１０のガイド溝１２に回転体１５のローラ１９，…を嵌め込み、該両接合片１８，１８をボルトＢ及びナットＮで締結する。この際、回転体１５のローラ１９，…の周面がガイド溝１２に当接し、回転体１５が回転可能に取り付けられる。なお、図中の符号４０は電線を示す。
【００２５】
そして、台風など強風の際、回転体１５の風受け羽２５，…が風を受けて、その風力によって回転体１５が回転し、回転体１５に従動してブラシ部３０の回転軸３２が回転する。つまり、ブラシ３３は自転しながら碍子１の表面を公転するようになる。この際、ブラシ３３の先端部が碍子１の表面に回転しながら当接するため、海上から飛散されてきた海水滴が碍子１の表面に付着すると略同時くらいに連続して掃き落とされる。よって、海塩粒子や塩分が碍子１の表面に堆積されることなく、地落・短絡事故を防止できる。また、ブラシ３３に付着した海塩粒子や塩分は、回転体１５及びブラシ３３の遠心力によって外部に飛散するので、ブラシ３３にも堆積されることはない。このように自然の風力を利用するので安価に且つ簡単に塩害の対策が施される。
【００２６】
なお、上記実施形態の場合、ブラシ３３の先端部が碍子１の表面に対して略直角に当接するように設けたが、これに限定されるものではなく、やや傾斜させて碍子１の表面との接触面積を大きくとるようにしてもよい。また、ブラシ部３０は回転ブラシではなくて歯ブラシのようなものでもよい。さらに、ブラシ３３の種類としては、光触媒のものやフッ素加工されたものを使用してもよい。加えて、ブラシ３３の先端部を碍子１の表面に当接させたが、回転体１５が回転できる程度に圧接させてもよい。
【００２７】
また、スプーン状の風受け羽２５としたが、扇風機や換気扇などの扇形や矩形の羽を用いてもよい。要は風の抵抗を受けて回転体１５が回転するようなものであればよい。
【００２８】
さらに、ガイド体１０及び回転体１５の構成は、図示に限定されるものではなく、碍子１の種類に合わせて適宜設計変更可能である。例えば、潤滑油を含漬させた多孔質材料で作られるオイルレス軸受け、或いは、無給油軸受けを使用してもよい。要するに、碍子１の軸心を中心にして回転体１５が回転できればよい。
【００２９】
碍子１の種類としては、図に示す耐張碍子に限らず、例えば懸垂碍子（クレピス型やポールソケット型）、ピン碍子、中実ＬＰ碍子にも適用できるのは言うまでもない。要するに、本発明の碍子表面の清掃器としては、碍子の表面をブラシによって除去できる構成のものであればよい。
【００３０】
回転体１５の風受け羽２５は、場合によっては鳥害防止にも成り得るし、ブラシ３３によって海塩粒子や塩分の他、塵埃も除去できることは言うまでもない。
【００３１】
ガイド体１０のガイド部をガイド溝１２としたが、軌条（レール）であってもよい。要するに、回転体１５が円滑に回転できるようにガイドするものであればよい。
【図面の簡単な説明】
【００３２】
【図１】本発明の一実施形態に係る碍子表面の清掃器の構成図である。
【図２】図１の正面図である。
【図３】本発明の一実施形態に係る碍子表面の清掃器の概略実装図である。
【符号の説明】
【００３３】
１…碍子、２…絶縁被覆部、３…連結部、４…ピン、５…接続穴、１０…ガイド体、１１…切れ目、１２…ガイド溝（ガイド部）、１５…回転体、１５ａ…分割体、１６…嵌合凸部、１７…嵌合凹部、１８…接合片、１９…ローラ（転動部）、２５…風受け羽、２６…支柱、２７…受け部、３０…ブラシ部、３１…支軸、３２…回転軸、３３…ブラシ、４０…電線、Ｂ…ボルト、Ｎ…ナット、Ｐ…電柱、Ｇ…腕金具
【図１】
2007012389.tif 000003
【図２】
2007012389.tif 000004
【図３】
2007012389.tif 000005